(57)【要約】【課題】部品点数を極力少なくし、かつ、組立てに要する工程も少なくし、しかも、扉密封用のガスケットを外箱に確実に固定する。【解決手段】外箱２の内側に断熱壁４を設けて形成された商品収納庫３と、その商品収納庫３の開口部を開閉する扉８を備え、商品収納庫３の開口部周りに沿って扉密封用のガスケット１３が固定されているとともに、外箱２の内側面の開口端部に固定されたフレーム２１には、商品収納庫３の開口平面に沿う取付け板部２１Ａを形成して、ガスケット１３の取付け部材２２に対する取付け座Ａが構成され、ガスケット１３の取付け部材２２が、フレーム２１の取付け板部２１Ａの裏面に対して係合自在な第１係合部２２Ａと、それを係合させた状態で取付け板部２１Ａに形成された前方側に突出する被係合部２１Ｂに対して外れ止め状態で係合される第２係合部２２Ｂから構成されている。【選択図】        図４
2004185587.tif 000002
【特許請求の範囲】
【請求項１】
外箱の内側に断熱壁を設けて形成された商品収納庫と、その商品収納庫の開口部を開閉する扉を備え、商品収納庫の開口部周りに沿って扉密封用のガスケットが固定されているとともに、外箱の内側面の開口端部に固定されたフレームには、商品収納庫の開口平面に沿う取付け板部を形成して、ガスケットの取付け部材に対する取付け座が構成されている自動販売機の扉密封構造であって、
前記ガスケットの取付け部材が、フレームの取付け板部の裏面、又は、取付け板部の内側端から後方側に延びる延長取付け板部に対して係合自在な第１係合部と、それを係合させた状態で取付け板部に形成された前方側に突出する被係合部に対して外れ止め状態で係合される第２係合部から構成されている自動販売機の扉密封構造。
【請求項２】
前記第１係合部と第２係合部が、弾性変形可能な変形部を介して一体的に連結されている請求項１記載の自動販売機の扉密封構造。
【請求項３】
前記第１係合部が、延長取付け板部の後端縁に対して係合自在に構成されているとともに、前記第２係合部が、第１係合部を延長取付け板部の後端縁に係合させた状態で取付け板部側に回動させることにより、取付け板部の被係合部に弾性変形しながら係合するように構成されている請求項１又は請求項２記載の自動販売機の扉密封構造。
【請求項４】
前記被係合部が取付け板部から切りお越し形成された係止片から構成されているとともに、前記第２係合部には、係止片の切りお越しに伴って形成される貫通孔を閉塞する状態で取付け板部の表面に接触する閉塞部が一体形成されている請求項１〜３のいずれか１項に記載の自動販売機の扉密封構造。
【請求項５】
前記第１係合部には、断熱壁の庫内側表面に沿って延出される被覆部が一体形成されている請求項１〜４のいずれか１項に記載の自動販売機の扉密封構造。
【請求項６】
前記第１係合部と第２係合部が硬質合成樹脂により形成され、前記変形部が軟質合成樹脂により形成されていて、その硬質合成樹脂製の両係合部と軟質合成樹脂製の変形部とが押出し成形により一体的に形成されている請求項２記載の自動販売機の扉密封構造。
【請求項７】
前記ガスケットと取付け部材が、押出し成形により一体的に形成されている請求項１〜６のいずれか１項に記載の自動販売機の扉密封構造。
【発明の詳細な説明】
【０００１】
【発明の属する技術分野】
本発明は、外箱の内側に断熱壁を設けて形成された商品収納庫と、その商品収納庫の開口部を開閉する扉を備え、商品収納庫の開口部周りに沿って扉密封用のガスケットが固定されている自動販売機の扉密封構造に関する。
【０００２】
【従来の技術】
このような扉密封構造は、扉により商品収納庫の開口部を閉じた際、商品収納庫内の冷熱や温熱が逃げないように密封するためのもので、従来は、図９に示すような扉密封構造が採用されている。
この従来の扉密封構造では、板金製の外箱２の内側面における開口端部に固定された補強用のフレーム５０に、商品収納庫３の開口平面に沿う取付け板部５０Ａとそれの内側端から後方側（庫内奥側）に延びる延長取付け板部５０ＢとをＬ字上に折り曲げ形成して、ガスケット１３の取付け部材５１に対する取付け座Ａが構成されているとともに、延長取付け板部５０Ｂには、断熱材で形成された雌ネジ部材５２が回り止め状態で取付けられている。
【０００３】
前記ガスケット１３の取付け部材５１は、両取付け板部５０Ａ，５０Ｂの表面に当て付けられる横断面形状が略しの字状の取付け基部５１Ａと、内箱を構成する鋼板製の内側板５３の折り曲げ端縁５３ａを差し込み保持するための溝５１Ｂを取付け基部５１Ａの開口側表面との間で形成する差込み保持部５１Ｃと、ガスケット１３を一体形成してある横断面形状が略Ｌの字状の取付け板部５１Ｄとから構成されているとともに、前記取付け基部５１Ａのうち、補強用フレーム５０の延長取付け板部５０Ｂの表面に沿う基板部分５１ａには、取付け部材５１を補強用フレーム５０側の雌ネジ部材５２にビス５４止めするための取付け孔５５が貫通形成されている。
【０００４】
前記取付け基部５１Ａと差込み保持部５１Ｃ、取付け板部５１Ｄが硬質合成樹脂により成形されているとともに、ガスケット１３が軟質合成樹脂により成形されている。
【０００５】
【発明が解決しようとする課題】
従来では、補強用フレーム５０の取付け座Ａにガスケット１３の取付け部材５１を取付けるにあたり、多数のビス５４が必要不可欠で、しかも、補強用フレーム５０の延長取付け板部５０Ｂには、断熱材で形成された雌ネジ部材５２を回り止め状態で取付ける必要があるため、部品点数が多くなるばかりでなく、ビス５４の締付け工程も必要となり、組立てに要する工程が多くなってコストアップを招くという欠点があった。
【０００６】
本発明は、上述の実状に鑑みて為されたものであって、その主たる課題は、部品点数を極力少なくし、かつ、組立てに要する工程も少なくし、しかも、扉密封用のガスケットを外箱に確実に固定することのできる自動販売機の扉密封構造を提供する点にある。
【０００７】
【課題を解決するための手段】
本発明の請求項１による特徴構成は、外箱の内側に断熱壁を設けて形成された商品収納庫と、その商品収納庫の開口部を開閉する扉を備え、商品収納庫の開口部周りに沿って扉密封用のガスケットが固定されているとともに、外箱の内側面の開口端部に固定されたフレームには、商品収納庫の開口平面に沿う取付け板部を形成して、ガスケットの取付け部材に対する取付け座が構成されている自動販売機の扉密封構造であって、
前記ガスケットの取付け部材が、フレームの取付け板部の裏面、又は、取付け板部の内側端から後方側に延びる延長取付け板部に対して係合自在な第１係合部と、それを係合させた状態で取付け板部に形成された前方側に突出する被係合部に対して外れ止め状態で係合される第２係合部から構成されている点にある。
【０００８】
上記特徴構成によれば、フレームの取付け座にガスケットの取付け部材を固定する場合、取付け部材の第１係合部を、フレーム側の取付け板部の裏面又はそれの内側端から後方側に延びる延長取付け板部に係合したのち、取付け部材の第２係合部を、取付け板部に形成された前方側に突出する被係合部に対して外れ止め状態で係合することにより、ガスケットを商品収納庫の開口部周りに沿って固定することができる。
【０００９】
従って、従来のようにビスや雌ネジ部材などを必要とすることなく、ガスケットを確実に固定することができ、部品点数の削減とそれに伴う組立て工数の減少によりコストダウンを図ることができる。
【００１０】
しかも、ガスケットをフレームの取付け座に固定した状態では、第１係合部が取付け板部の裏面又は延長取付け板部に係合し、かつ、第２係合部が取付け板部から前方側に突出する被係合部に係合しているので、扉の開閉時等においてガスケットに外れ方向の外力が作用しても、ガスケットの取付け部材を所定の取付け姿勢に強固に維持することができる。
【００１１】
本発明の請求項２による自動販売機の扉密封構造の特徴構成は、前記第１係合部と第２係合部が、弾性変形可能な変形部を介して一体的に連結されている点にある。
【００１２】
上記特徴構成によれば、取付け部材の第１係合部を、取付け座を構成するフレーム側の取付け板部の裏面又はそれの内側端から後方側に延びる延長取付け板部に係合したのち、取付け部材の第２係合部を、取付け板部から前方側に突出する被係合部に係合させる際、両係合部を一体的に連結する変形部の弾性変形を利用して、例えば、第２係合部を回動させながら被係合部に係合させることができるので、第２係合部と被係合部との係合代が深くなっても、ガスケットの固定作業を容易に行うことができる。
【００１３】
それ故に、ガスケットの固定作業の能率化を図りつつ、ガスケットを一層確実強固に固定することができる。
【００１４】
本発明の請求項３による自動販売機の扉密封構造の特徴構成は、前記第１係合部が、延長取付け板部の後端縁に対して係合自在に構成されているとともに、前記第２係合部が、第１係合部を延長取付け板部の後端縁に係合させた状態で取付け板部側に回動させることにより、取付け板部の被係合部に弾性変形しながら係合するように構成されている点にある。
【００１５】
上記特徴構成によれば、フレームの取付け座にガスケットの取付け部材を固定する場合、取付け部材の第１係合部を、フレーム側の取付け板部の内側端から後方側に延びる延長取付け板部の後端縁に係合したのち、その係合状態を維持したまま取付け板部側に回動させることにより、取付け部材の第２係合部を、取付け板部に形成された前方側に突出する被係合部に対して弾性変形しながら外れ止め状態で係合させることができる。
【００１６】
従って、ガスケットを確実、強固に固定しながらも、その固定操作としては、取付け部材の第１係合部と延長取付け板部の後端縁との係合箇所を支点として回動操作するだけで済み、ガスケットを能率良く容易に取付けることができる。
【００１７】
本発明の請求項４による自動販売機の扉密封構造の特徴構成は、前記被係合部が取付け板部から切りお越し形成された係止片から構成されているとともに、前記第２係合部には、係止片の切りお越しに伴って形成される貫通孔を閉塞する状態で取付け板部の表面に接触する閉塞部が一体形成されている点にある。
【００１８】
上記特徴構成によれば、前方側に突出する被係合部が、取付け座を構成する取付け板部から切りお越し形成された係止片から構成することにより、例えば、取付け板部の内側端から前方側に突出する状態で係止片を折り曲げ形成する場合に比して、フレームの軽量化を図ることができる。しかも、この係止片の切りお越しに伴って形成される貫通孔を、第２係合部に一体形成された閉塞部で閉塞することができるので、取付け部材自体の断熱性能の低下を抑制することができるとともに、取付け板部の表面に接触する閉塞部が、外力に起因する取付け部材の一方側への離脱回動を阻止する外れ止め部として機能するから、ガスケットを確実、強固に取付けることができる。
【００１９】
本発明の請求項５による自動販売機の扉密封構造の特徴構成は、前記第１係合部に、断熱壁の庫内側表面に沿って延出される被覆部が一体形成されている点にある。
【００２０】
上記特徴構成によれば、ガスケットをフレームの取付け座に固定した状態では、第１係合部に一体形成された被覆部が断熱壁の庫内側表面に沿って延出されているので、この被覆部が、外力に起因する取付け部材の他方側への離脱回動を阻止する外れ止め部として機能し、ガスケットをより確実、強固に取付けることができるとともに、断熱壁の一部を被覆することによって断熱効果の向上も同時に図ることができる。
【００２１】
本発明の請求項６による自動販売機の扉密封構造の特徴構成は、前記第１係合部と第２係合部が硬質合成樹脂により形成され、前記変形部が軟質合成樹脂により形成されていて、その硬質合成樹脂製の両係合部と軟質合成樹脂製の変形部とが押出し成形により一体的に形成されている点にある。
【００２２】
上記特徴構成によれば、取付け部材の第１係合部と第２係合部が硬質合成樹脂により形成されているので、上述した両係合部の協働作用によるガスケットの固定は一層確実で強固なものとなり、しかも、変形部が軟質合成樹脂により形成されているので、その軟質合成樹脂の弾性変形を利用して、ガスケットの固定作業を容易に行うことができる。
更に、硬質合成樹脂製の第１係合部と第２係合部および軟質合成樹脂製の変形部とが、押出し成形により一体的に形成されているので、上述したように、強固な固定機能を備え、かつ、固定作業も容易に行うことができるにもかかわらず、ガスケットの取付け部材を安価に製造することができる。
【００２３】
本発明の請求項７による自動販売機の扉密封構造の特徴構成は、前記ガスケットと取付け部材が、押出し成形により一体的に形成されている点にある。
【００２４】
上記特徴構成によれば、ガスケットと取付け部材が押出し成形により一体的に形成されているので、ガスケットと取付け部材との連結は極めて強固であり、この取付け部材を備えたガスケットを押出し成形により安価に製造することができる。
【００２５】
【発明の実施の形態】
〔第１実施形態〕
図１、図２は、缶入り飲料や壜入り飲料等の商品１を販売する自動販売機を示し、板金製の外箱２の内側に商品収納庫３を形成する断熱壁４を設けてなるキャビネット６には、商品収納庫３の前面開口部のうちの商品投入口５を除く下半開口部に対して揺動開閉自在で、下端側に商品排出口７を備えた断熱構造の下側内扉８Ａと、外箱２の前面開口部に対して揺動開閉自在で、下端側に下側内扉８Ａの商品排出口７を通して送り出されてきた商品１を受止める商品受け部９及びこれに受止められた商品１を外部に取り出す商品取出口１０を備えた外扉１１が取付けられているとともに、外扉１１の商品サンプル棚１２の背面には、商品収納庫３の上半側の商品投入口５を覆うことが可能な断熱構造の上側内扉８Ｂが揺動開閉自在に取付けられている。
【００２６】
そのため、当該実施形態では、各別に開閉自在な下側内扉８Ａと上側内扉８Ｂとをもって、商品収納庫３の前面開口部を開閉する内扉８が構成されているとともに、商品収納庫３の開口部周りに沿って扉密封用のガスケット１３が固定され、更に、扉閉止時に下側内扉８Ａと上側内扉８Ｂとの隣接間を密封する補助ガスケット２０が、下側内扉８Ａの上側辺に取付けられている。
【００２７】
前記キャビネット６の商品収納庫３内には、図１、図２に示すように、左右方向で複数のラック装着室３Ａに区画形成するための断熱構造の仕切板１４が設けられ、各ラック装着室３Ａ内に臨む天井壁部には、多数の商品１を下方に払い出し可能な状態で上下方向に沿って積み重ね収納するための商品収納通路を前後方向で複数列形成してある商品収納ラック１５が、前後方向から吊下げ状態で脱着自在に組付けられているとともに、商品収納庫３内の底部側には、商品払出指令信号（販売指令信号）に基づいて商品収納ラック１５の商品収納通路から選択的に払出されてくる商品１を受止めて下側内扉８Ａの商品排出口７及び商品取出口１０側に向かって搬出案内するシュート１６と、庫内送風ファン１７Ａや蒸発器１７Ｂ等を備えた庫内温調ユニット１７が配設され、更に、外箱２内の底部側の庫外空間１８内には、凝縮器１９Ａや送風ファン１９Ｂ等を備えた庫外温調ユニット１９が配設されている。
【００２８】
前記外箱２は、図１、図２に示すように、天板２Ａ、左右一対の側板２Ｂ、背板２Ｃ、底板２Ｄ、商品収納庫３と庫外空間１８とに区画形成する中底板２Ｅとから構成され、天板２Ａ、両側板２Ｂ、背板２Ｃ、中底板２Ｅの各内側面には、断熱壁４の一例で、ウレタンフォーム等の断熱材で方形板状に成型され、かつ、表裏両側面又は表面全体をポリエチレン等の防湿性の樹脂製シート４ａで被覆してある断熱パネルが貼り付けられている。
【００２９】
前記外箱２の天板２Ａ及び両側板２Ｂの各内側面における開口側端部には、図３〜図５に示すように、鋼板製の補強用のフレーム２１が固着されているとともに、各補強用フレーム２１の後部には、商品収納庫３の開口平面に沿う取付け板部２１Ａを折曲げ形成して、ガスケット１３の取付け部材２２に対する取付け座Ａが構成され、更に、この取付け座Ａを構成する取付け板部２１Ａの内側端には、これから前方側に向かって突出する板状の被係合部２１Ｂが折曲げ形成されている。
【００３０】
また、各補強用フレーム２１の前後中間部２１Ｃは横断面形状が略ハット状に折曲げ形成されているとともに、各前端部２１Ｄは、天板２Ａの前端折曲げ部２ａ及び両側板２Ｂの前端折曲げ部２ｂに沿ってそれぞれ直角に折曲げ形成されている。
【００３１】
外箱２の天板２Ａに固着される補強用フレーム２１と側板２Ｂに固着される補強用フレーム２１は、ハット状の中間折曲げ部２１Ｃの寸法において若干の相違があるものの、前後長は同一で、かつ、取付け座Ａを構成する取付け板部２１Ａ、被係合部２１Ｂの形状、寸法も同一に構成されているため、各取付け座Ａに固定されるガスケット１３及び取付け部材２２の横断面形状は同一形状に統一形成されている。
【００３２】
そして、上述の如く共通化された各ガスケット１３の取付け部材２２には、図４、図５に示すように、取付け座Ａを構成する取付け板部２１Ａの裏面２１ａと断熱パネル４の前端面４ｂとの間に差し込み係合自在な板状の第１係合部２２Ａと、それを係合させた状態で取付け板部２１Ａの被係合部２１Ｂに対して外れ止め状態で係合される横断面略コの字又はそれに類似する形状の第２係合部２２Ｂと、両係合部２２Ａ，２２Ｂとを一体的に連結し、かつ、第２係合部２２Ｂの一部を兼用構成する弾性変形可能な板状の変形部２２Ｃが主要構成として備えられている。
【００３３】
図５の（ロ）に示すように、取付け部材２２の第１係合部２２Ａが取付け板部２１Ａの裏面２１ａに係合状態で接触し、かつ、第２係合部２２Ｂが被係合部２１Ｂに係合した装着状態では、被係合部２１Ｂに対する第２係合部２２Ｂの係合代をもって、補強用フレーム２１の取付け座Ａに装着された取付け部材２２の外れ止め手段が構成されている。
【００３４】
また、前記第２係合部２２Ｂの開口側表面２２ａにはガスケット１３が一体形成されているとともに、第１係合部２２Ａには、断熱パネル４の庫内側表面の一部を接触状態で被覆するべく、断熱パネル４の庫内側表面に沿って庫内奥側（後方側）に向かって延出される板状の被覆部２２Ｄが一体形成され、更に、被覆部２２Ｄの後端には、断熱パネル４の庫内側表面に接触する断面三角形状の弾性変形可能なヒレ部２２Ｅが一体形成されている。
【００３５】
前記取付け部材２２を構成する第２係合部２２Ｂの庫内側辺部、変形部２２Ｃ、被覆部２２Ｄ、ヒレ部２２Ｅが、断熱パネル４の庫内側表面に沿って略一直線状に一体形成され、それらに対して第１係合部２２Ａが直交する状態で外側方に向かって一体的に突出形成されている。
【００３６】
前記取付け部材２２において、第１係合部２２Ａと第２係合部２２Ｂ及び被覆部２２Ｄは、例えば、硬質合成樹脂の一例であるポリプロピレン（ＰＰ）或いは硬質塩化ビニルなどにより形成され、変形部２２Ｃとヒレ部２２Ｅは、軟質合成樹脂の一例である軟質塩化ビニルなどにより形成されていて、その取付け部材２２全体が押出し成形により一体的に形成されている。
【００３７】
そして、扉密封用のガスケット１３も、例えば、軟質合成樹脂の一例である軟質塩化ビニルなどにより形成されていて、そのガスケット１３が第２係合部２２Ｂの開口側表面２２ａに連結される状態で、ガスケット１３と取付け部材２２とが押出し成形により一体的に形成されている。
【００３８】
この取付け部材２２付きガスケット１３を商品収納庫３の開口部周りに沿って固定するには、図４に示すように、第１係合部２２Ａを、取付け座Ａを構成する取付け板部２１Ａの裏面２１ａに沿わせながら、該取付け板部２１Ａの裏面２１ａと断熱パネル４の前端面４ｂとの間に差し込み係合させ、図５の（イ）に示すように、変形部２２Ｃを利用して第２係合部２２Ｂを回動させて、図５の（ロ）に示すように、第２係合部２２Ｂを取付け板部２１Ａの被係合部２１Ｂに係合させて固定するか、或いは、逆に、第２係合部２２Ｂを取付け板部２１Ａの被係合部２１Ｂに係合させておき、第１係合部２２Ａ側を回動させて、取付け板部２１Ａの裏面２１ａに沿わせながら、該取付け板部２１Ａの裏面２１ａと断熱パネル４の前端面４ｂとの間に差し込み係合させる。
【００３９】
いずれにせよ、固定した状態では、硬質合成樹脂製の第１係合部２２Ａが取付け板部２１Ａの裏面２１ａに沿って係合し、かつ、硬質合成樹脂製の第２係合部２２Ｂが取付け板部２１Ａから前方側に突出する被係合部２１Ｂに係合するので、商品収納庫３の開口部周りへのガスケット１３の固定は極めて確実で強固なものとなり、たとえガスケット１３に対して、ガスケット１３を取付け座Ａから外そうとする外力が作用しても、取付け板部２１Ａの裏面２１ａ側に位置する第１係合部２２Ａと取付け板部２１Ａの前面側に位置する第２係合部２２Ｂとの協働作用により、ガスケット１３の外れは確実に阻止される。
【００４０】
そして、取付け板部２１Ａの裏面２１ａ側には、厚みの薄い第１係合部２２Ａが位置するだけなので、図３および図４より明らかなように、取付け板部２１Ａの裏面においても、その取付け板部２１Ａとほぼ同幅の断熱パネル４を配設することができ、商品収納庫３の断熱効果も良好となる。
【００４１】
〔第２実施形態〕
図６〜図８は自動販売機の扉密封構造の別実施形態を示し、外箱２の天板２Ａ及び両側板２Ｂの各内側面における開口側端部には、第１実施形態の図３に示す形態と同様に、鋼板製の補強用のフレーム２１が固着されているとともに、各補強用フレーム２１の後部には、商品収納庫３の開口平面に沿う取付け板部２１Ａを折曲げ形成して、ガスケット１３の取付け部材２２に対する取付け座Ａが構成され、更に、この取付け座Ａを構成する取付け板部２１Ａの内側端には、後方側（奥側）に延びる延長取付け板部２１Ｅが直角に折曲げ形成されている。
【００４２】
また、各補強用フレーム２１の前後中間部２１Ｃは横断面形状が略ハット状に折曲げ形成されているとともに、各前端部２１Ｄは、天板２Ａの前端折曲げ部２ａ及び両側板２Ｂの前端折曲げ部２ｂに沿ってそれぞれ直角に折曲げ形成されている。
【００４３】
外箱２の天板２Ａに固着される補強用フレーム２１と側板２Ｂに固着される補強用フレーム２１は、第１実施形態と同様に、ハット状の中間折曲げ部２１Ｃの寸法において若干の相違があるものの、前後長は同一で、かつ、取付け座Ａを構成する取付け板部２１Ａの形状、寸法も同一に構成されているため、各取付け座Ａに固定されるガスケット１３及び取付け部材２２の横断面形状は同一形状に統一形成されている。
【００４４】
そして、上述の如く共通化された各ガスケット１３の取付け部材２２には、補強用フレーム２１側の取付け板部２１Ａの内側端から後方側に延びる延長取付け板部２１Ｅの後端縁２１ｂに係合する横断面略Ｕの字状の第１係合部２２Ｆと、それを延長取付け板部２１Ｅの後端縁２１ｂに係合させた状態で取付け板部２１Ａ側に回動させることにより、取付け板部２１Ａに形成された前方側に突出する被係合部２１Ｆに対して弾性変形しながら外れ止め状態で係合される横断面略Ｌ字状の第２係合部２２Ｇと、延長取付け板部２１Ｅの表面に接触する状態で両係合部２２Ｆ，２２Ｇを一体的に結合する繋ぎ板部２２Ｌと、開口側表面にガスケット１３が一体形成された横断面略Ｌ字状の取付け板部２２Ｈが主要構成として備えられている。
【００４５】
図７の（ロ）に示すように、取付け部材２２の第１係合部２２Ｆが延長取付け板部２１Ｅの後端縁２１ｂに係合し、かつ、第２係合部２２Ｇが被係合部２１Ｆに係合した装着状態では、被係合部２１Ｆに対する第２係合部２２Ｇの係合代をもって、補強用フレーム２１の取付け座Ａに装着された取付け部材２２の外れ止め手段が構成されている。
【００４６】
前記被係合部２１Ｆは、取付け板部２１Ａの上下方向一箇所又は上下方向に所定間隔を隔てた複数箇所において、前方側に向かって突出する状態で切りお越し形成された係止片から構成されているとともに、前記第２係合部２２Ｇには、係止片２１Ｆの切りお越しに伴って形成される貫通孔２１Ｇを閉塞する状態で取付け板部２１Ａの表面に接触する板状の閉塞部２２Ｊが一体形成され、更に、第１係合部２２Ｆの先端には、断熱パネル４の庫内側表面に接触する断面三角形状の弾性変形可能なヒレ部２２Ｋが一体形成されている。
【００４７】
前記取付け部材２２において、第１係合部２２Ｆと繋ぎ板部２２Ｌ、第２係合部２２Ｇ、取付け板部２２Ｈ、閉塞部２２Ｊは、例えば、硬質合成樹脂の一例であるポリプロピレン（ＰＰ）あるいは硬質塩化ビニルなどにより形成され、ヒレ部２２Ｋは、軟質合成樹脂の一例である軟質塩化ビニルなどにより形成されていて、その取付け部材２２全体が押出し成形により一体的に形成されている。
【００４８】
そして、扉密封用のガスケット１３も、例えば、軟質合成樹脂の一例である軟質塩化ビニルなどにより形成されていて、そのガスケット１３が取付け板部２２Ｈの開口側表面に連結される状態で、ガスケット１３と取付け部材２２とが押出し成形により一体的に形成されている。
【００４９】
そして、補強用フレーム２１の取付け座Ａにガスケット１３の取付け部材２２を固定する場合、取付け部材２２の第１係合部２２Ｆを、補強用フレーム２１側の取付け板部２１Ａの内側端から後方側に延びる延長取付け板部２１Ｅの後端縁２１ｂに係合したのち、その係合状態を維持したまま取付け板部２１Ａ側に回動させることにより、取付け部材２２の第２係合部２２Ｇを、取付け板部２１Ａに形成された前方側に突出する係止片２１Ｆに対して弾性変形しながら外れ止め状態で係合させることができる。
【００５０】
従って、ガスケット１３を確実、強固に固定しながらも、その固定操作としては、取付け部材２２の第１係合部２２Ｆと延長取付け板部２１Ｅの後端縁２１ｂとの係合箇所を支点として回動操作するだけで済み、ガスケット１３を能率良く容易に取付けることができる。
【００５１】
また、被係合部を構成する係止片２１Ｆが、取付け座Ａを構成する取付け板部２１Ａから切りお越し形成されているから、例えば、第１実施形態のように、取付け板部２１Ａの内側端から前方側に突出する状態で被係合部２１Ｂを折曲げ形成する場合に比して、補強用フレーム２１の軽量化を図ることができる。しかも、この係止片２１Ｆの切りお越しに伴って形成される貫通孔２１Ｇを、第２係合部２２Ｇに一体形成された閉塞部２２Ｊで閉塞することができるので、取付け部材２２自体の断熱性能の低下を抑制することができるとともに、取付け板部２１Ａの表面に接触する閉塞部２２Ｊが、外力に起因する取付け部材２２の一方側への離脱回動を阻止する外れ止め部として機能するから、ガスケット１３を確実、強固に取付けることができる。
【００５２】
また、前記繋ぎ板部２２Ｌが延長取付け板部２１Ｅの表面に接触し、かつ、第１係合部２２Ｆの遊端側部分及びヒレ部２２Ｋが断熱パネル４の庫内側表面に接触又は近接しているため、外力に起因する取付け部材２２の他方側への離脱回動を阻止する外れ止め部として機能し、ガスケット１３を確実、強固に取付けることができる。
【００５３】
尚、その他の構成は、第１実施形態で説明した構成と同一であるから、同一の構成箇所には、第１実施形態と同一の番号を付記してそれの説明は省略する。
【００５４】
〔その他の実施形態〕
（１）上述の各実施形態では、ガスケット１３と取付け部材２２を押出し成形により一体的に形成したが、ガスケット１３と取付け部材２２を別々に形成し、両者を互いに固着して構成することもできる。
すなわち、ガスケット１３と取付け部材２２とを別々の押出し成形機により各別に形成して、その後、両者を接着剤などにより接着して一体化することもできる。
その場合、取付け部材２２をガスケット１３の長手方向の全長に亘って接着することも、また、多数の取付け部材２２をガスケット１３の長手方向に沿って間隔を置いて接着することもできる。
【００５５】
（２）上述の各実施形態のように、外箱２の天板２Ａに固着される補強用フレーム２１の取付け座Ａの構造と、側板２Ｂに固着される補強用フレーム２１の取付け座Ａの構造を統一して、各取付け座Ａに固定されるガスケット１３及び取付け部材２２の横断面形状を同一形状に構成することにより、部品の共通化によって製造コストの低廉化を図ることができるが、天板２Ａ及び側板２Ｂに固着される補強用フレーム２１の構造が異なる場合には、各補強用フレーム２１の取付け座Ａの構造に応じた複数種類の取付け部材２２を製作することになる。
【００５６】
（３）上述の各実施形態では、ウレタンフォーム等の断熱材で製作された断熱パネル４の表面のうち、少なくとも商品収納庫３内に臨む内側面を含む複数の面を防湿性の樹脂製シート４ａで被覆したが、庫内に臨む内側面のみを防湿性の樹脂製シート４ａで被覆してもよい。
【００５７】
（４）上述の第１実施形態では、ガスケット１３の取付け部材２２として、第１係合部２２Ａ、第２係合部２２Ｂ、変形部２２Ｃ、被覆部２２Ｄ、ヒレ部２２Ｅを備えたものを示したが、被覆部２２Ｄやヒレ部２２Ｅなどについては必ずしも必要なものではなく、例えば、第１係合部２２Ａ、第２係合部２２Ｂ、変形部２２Ｃのみを備えた取付け部材２２を使用して実施することもできる。
【００５８】
（５）上述の第１実施形態では、補強用フレーム２１の開口部側の端縁を前方に向けてほぼ直角に折曲げて被係合部２１Ｂを構成した例を示したが、被係合部２１Ｂを補強用フレーム２１に対して別体に構成し、被係合部２１Ｂを補強用フレーム２１に固着して実施することもでき、その被係合部２１Ｂの形状や構成についても、種々の変更が可能である。
【００５９】
（６）上述の第２実施形態では、第１係合部２２Ｆと第２係合部２２Ｇ及び繋ぎ板部２２Ｌとを硬質合成樹脂により形成したが、第１実施形態と同様に、繋ぎ板部２２Ｌの一部に軟質合成樹脂製の変形部２２Ｃを形成して実施してもよい。
【図面の簡単な説明】
【図１】本発明の第１実施形態を示す扉開き時の自動販売機全体の斜視図
【図２】自動販売機全体の断面側面図
【図３】ガスケットの取付け部材を装着する前の機体前部側の分解斜視図
【図４】ガスケットの取付け部材を装着する前の要部の拡大分解斜視図
【図５】（イ）はガスケットの取付け部材の装着途中を示す要部の拡大断面図
（ロ）はガスケットの取付け部材の装着完了を示す要部の拡大断面図
【図６】本発明の第２実施形態を示す要部の拡大断面図
【図７】ガスケットの取付け部材の装着途中を示す要部の拡大断面図
【図８】補強用フレームの係止片と取付け部材の第２係合部との係合箇所における要部の断面正面図
【図９】従来の扉密封構造を示す要部の拡大断面図
【符号の説明】
Ａ      取付け座
２      外箱
３      商品収納庫
４      断熱壁（断熱パネル）
８      扉（内扉）
１３    ガスケット
２１    フレーム（補強用フレーム）
２１Ａ  取付け板部
２１Ｂ  被係合部
２１Ｅ  延長取付け板部
２１Ｆ  被係合部（係止片）
２１Ｇ  貫通孔
２１ａ  裏面
２１ｂ  後端縁
２２    取付け部材
２２Ａ  第１係合部
２２Ｂ  第２係合部
２２Ｃ  変形部
２２Ｄ  被覆部
２２Ｆ  第１係合部
２２Ｇ  第２係合部
２２Ｊ  閉塞部
【図１】
2004185587.tif 000003
【図２】
2004185587.tif 000004
【図３】
2004185587.tif 000005
【図４】
2004185587.tif 000006
【図５】
2004185587.tif 000007
【図６】
2004185587.tif 000008
【図７】
2004185587.tif 000009
【図８】
2004185587.tif 000010
【図９】
2004185587.tif 000011